(57)【要約】【課題】  画像診断に適した医用画像を、簡単な操作で表示装置に表示可能にしたプログラムを提供する。【解決手段】  コンピュータを、医用画像の画素が取りうる階調の値域よりも狭い値域の輝度で画素を表示可能な表示装置３１に、医用画像を表示画像として表示させる際に、医用画像の階調の値域の一部を表示装置３１の輝度の値域に割り当てるパラメータを変更することで、変更したパラメータに対応する複数の表示画像を生成する画像変換部７３と、生成した複数の表示画像を逐次的に表示装置３１に表示させる表示制御部７４として機能させる。【選択図】        図２
2015019815.tif 000002
【特許請求の範囲】
【請求項１】
医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成し、
生成した前記複数の表示画像を逐次的に前記表示装置に表示させる処理をコンピュータに実行させることを特徴とするプログラム。
【請求項２】
前記パラメータは、画像の明るさを変更するウィンドウレベルと、画像のコントラストを変更するウィンドウ幅とを含み、
前記複数の表示画像を生成する処理は、前記ウィンドウレベル及び前記ウィンドウ幅で規定される前記医用画像の画素値を、輝度値に変換する処理を、前記ウィンドウレベルと前記ウィンドウ幅との少なくとも一方の値を変更しながら複数回行う処理であることを特徴とする請求項１記載のプログラム。
【請求項３】
前記複数の表示画像を生成する処理は、前記医用画像の撮影部位を示す部位情報に基づいて前記ウィンドウレベルと前記ウィンドウ幅とを変更する変更範囲を設定し、設定した前記変更範囲内で前記ウィンドウレベルと前記ウィンドウ幅との少なくとも一方の値を変更しながら、前記ウィンドウレベル及び前記ウィンドウ幅で規定される前記医用画像の画素値を、輝度値に変換することを特徴とする請求項２記載のプログラム。
【請求項４】
前記複数の表示画像を生成する処理は、前記ウィンドウレベルと前記ウィンドウ幅との一方のパラメータの値を一定の値に固定して、他方のパラメータの値を連続的に変化させ、前記一定の値の前記一方のパラメータと、変化させた各値の前記他方のパラメータとで規定される前記医用画像の画素値を、輝度値に変換する第１変換処理と、前記一定の値に固定した前記一方のパラメータの値を他の値に固定して、前記他方のパラメータの値を連続的に変化させ、前記他の値の前記一方のパラメータと、変化させた各値の前記他方のパラメータとで規定される前記医用画像の画素値を、輝度値に変換する第２変換処理とを含み、
前記表示装置に表示させる処理は、前記第１変換処理で輝度値に変換した前記医用画像を、変換した順に前記表示装置に表示させる処理と、
前記第２変換処理で輝度値に変換した前記医用画像を、変換した順に前記表示装置に表示させる処理とを含むことを特徴とする請求項２又は３記載のプログラム。
【請求項５】
前記医用画像には、撮影日の異なる複数の医用画像が含まれ、
前記複数の表示画像を生成する処理は、前記医用画像の画素値を前記輝度値に変換する処理を、前記撮影日の異なる前記複数の医用画像のそれぞれについて行い、
前記表示装置に表示させる処理は、前記複数の医用画像の画素値を輝度値に変換する際に、前記複数の医用画像で各パラメータに同一の値を設定して変換した医用画像を前記表示装置に連続して表示させた後に、前記同一の値を他の値に変更して変換した医用画像を前記表示装置に連続して表示させることを特徴とする請求項２記載のプログラム。
【請求項６】
前記複数の表示画像を生成する処理は、前記医用画像に画像解析を行って、異常な陰影を示す前記医用画像の候補領域を検出し、前記検出した候補領域の画素値に基づいて、前記ウィンドウレベルと前記ウィンドウ幅との変更範囲を設定して、設定した前記変更範囲内で前記ウィンドウレベルと前記ウィンドウ幅との少なくとも一方を変更しながら、前記ウィンドウレベルと前記ウィンドウ幅とに基づいて前記医用画像の画素値を輝度値に変換することを特徴とする請求項２記載のプログラム。
【請求項７】
前記パラメータとして、ボリュームレンダリング処理におけるオパシティカーブの不透明度の中央値を変更する中央値パラメータと、前記オパシティカーブの不透明度の幅値を変更する幅値パラメータとを含み、
前記複数の表示画像を生成する処理は、前記中央値パラメータと前記幅値パラメータとの少なくとも一方の値を変更しながら、前記医用画像の各画素に割り当てる不透明度を変更して、前記医用画像の疑似三次元画像を複数生成し、
前記表示装置に表示させる処理は、前記不透明度を変更しながら生成した疑似三次元画像を、所定間隔ごとに前記表示装置に表示させることを特徴とする請求項１記載のプログラム。
【請求項８】
コンピュータにより実行される表示調整支援方法であって、
医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成するステップと、
生成した前記複数の表示画像を逐次的に前記表示装置に表示させるステップを有することを特徴とする表示調整支援方法。
【請求項９】
医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成する生成手段と、
生成した前記複数の表示画像を逐次的に前記表示装置に表示させる表示制御手段と、を有することを特徴とする表示調整支援装置。
【発明の詳細な説明】
【技術分野】
【０００１】
本件は、プログラム、表示調整支援方法及び表示調整支援装置に関する。
【背景技術】
【０００２】
Ｘ線ＣＴ（Computed Tomography）装置、ＭＲＩ（Magnetic Resonance Imaging）装置等の撮影装置によって撮影される医用画像は、表示装置に表示され、専門医による画像診断（読影）が行われる。
【０００３】
特許文献１及び２には、読影作業を効率化する技術が開示されている。特許文献３には、一対の左右の乳房画像の濃淡を合わせる技術が開示されている。特許文献４には、読影対象画像と症例画像とを読影者が比較しやすい形で提示する技術が開示されている。
【先行技術文献】
【特許文献】
【０００４】
【特許文献１】特開２００２−９５６４０号公報
【特許文献２】特開２０１２−２０１１５号公報
【特許文献３】特開２００９−８２５６１号公報
【特許文献４】特開２００９−４５１２１号公報
【発明の概要】
【発明が解決しようとする課題】
【０００５】
撮影装置によって撮影される医用画像データは、１画素が２５６乃至６５５３６の階調の値域の何れかの値となるデータになる場合がある。この医用画像データを、２５６の階調を表示可能な通常のモニタに表示して医師が画像診断を行う場合、モニタに表示可能な階調に合わせて医用画像データの階調の内、適切な範囲が抽出されていなければ、正確な読影をすることは困難であった。
【０００６】
１つの側面では、本発明は、画像診断に適した医用画像を、簡単な操作で表示装置に表示可能にしたプログラム、表示調整支援方法及び表示調整支援装置を提供することを目的とする。
【課題を解決するための手段】
【０００７】
本明細書に記載のプログラムは、医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成し、生成した前記複数の表示画像を逐次的に前記表示装置に表示させる処理をコンピュータに実行させる。
【０００８】
本明細書に記載の表示調整支援方法は、コンピュータにより実行される表示調整支援方法であって、医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成するステップと、生成した前記複数の表示画像を逐次的に前記表示装置に表示させるステップとを有する。
【０００９】
本明細書に記載の表示調整支援装置は、医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成する生成手段と、生成した前記複数の表示画像を逐次的に前記表示装置に表示させる表示制御手段とを備える。
【発明の効果】
【００１０】
画像診断に適した医用画像を、簡単な操作で表示装置に表示させることができる。
【図面の簡単な説明】
【００１１】
【図１】表示調整支援装置の備えるハードウェアの一例を示す図である。
【図２】表示調整支援装置の備える制御部の機能ブロックの一例を示す図である。
【図３】医用画像データの画素値を輝度値に変換するウィンドウレベル及びウィンドウ幅を示すグラフの一例である。
【図４】（Ａ）は範囲設定部が設定した変更範囲に基づいて画像変換部が設定した表示条件の一例を示す図であり、（Ｂ）は縦軸に第１ウィンドウレベル、横軸に第１ウィンドウ幅をとったグラフに、（Ａ）に示す表示条件をプロットした図である。
【図５】図４（Ａ）に示すａ、ｂ、ｃの表示条件の場合に、表示装置に表示される医用画像の例を示す図である。
【図６】（Ａ）は「画像を明るく」との指示が入力された場合に、範囲設定部が設定した変更範囲に基づいて画像変換部が設定した表示条件の一例を示す図であり、（Ｂ）は縦軸に第１ウィンドウレベル、横軸に第１ウィンドウ幅をとったグラフに、（Ａ）に示す表示条件をプロットした図である。
【図７】（Ａ）は「画像を暗く」との指示が入力された場合に、範囲設定部が設定した変更範囲に基づいて画像変換部が設定した表示条件の一例を示す図であり、（Ｂ）は縦軸に第１ウィンドウレベル、横軸に第１ウィンドウ幅をとったグラフに、（Ａ）に示す表示条件をプロットした図である。
【図８】（Ａ）は「画像のコントラストを強く」との指示が入力された場合に、範囲設定部が設定した変更範囲に基づいて画像変換部が設定した表示条件の一例を示す図であり、（Ｂ）は縦軸に第１ウィンドウレベル、横軸に第１ウィンドウ幅をとったグラフに、（Ａ）に示す表示条件をプロットした図である。
【図９】第１実施形態の制御部の処理手順を示すフローチャートである。
【図１０】図９に示すフローの続きを示すフローチャートであり、「画像を明るく」する指示と、「画像を暗く」する指示が入力された場合の手順を示すフローチャートである。
【図１１】図１０に示すフローの続きを示すフローチャートであり、「画像のコントラストを強くする」する指示が入力された場合の手順を示すフローチャートである。
【図１２】（Ａ）及び（Ｂ）は、同じ表示条件で輝度値に変換した過去画像１、過去画像２及び現在画像を表示装置に連続で表示した様子を示す図である。
【図１３】第２実施形態の制御部の備える機能ブロックの一例を示す図である。
【図１４】第３実施形態の制御部の備える機能ブロックの一例を示す図である。
【図１５】三次元画像のボクセル値と不透明度との対応関係の一例を示す図である。
【図１６】（Ａ）は範囲設定部が設定した変更範囲に基づいて画像生成部が設定した不透明度の変更条件の一例を示す図であり、（Ｂ）は縦軸に第１ウィンドウレベル、横軸に第１ウィンドウ幅をとったグラフに、（Ａ）に示す不透明度の変更条件をプロットした図である。
【図１７】第３実施形態の制御部の処理手順を示すフローチャートである。
【発明を実施するための形態】
【００１２】
（第１実施形態）
表示調整支援装置１の備えるハードウェアについて図１を参照しながら説明する。図１には、表示調整支援装置１の備えるハードウェアの一例を示す。表示調整支援装置１は、制御部１０を備える。制御部１０は、ＣＰＵ（Central Processing Unit）１１、ＲＯＭ（Read Only Memory）１２、ＲＡＭ（Random Access Memory）１３を備える。ＣＰＵ１１、ＲＯＭ１２、ＲＡＭ１３の各部は、バス６０に接続している。ＲＯＭ１２には、ＣＰＵ１１が制御に使用する制御プログラム等が保存されている。ＣＰＵ１１は、制御プログラムをＲＯＭ１２又はハードディスク装置（以下、ＨＤＤと表記する）５０から読み出してＲＡＭ１３に記憶させる。その後、ＣＰＵ１１は、ＲＡＭ１３に記憶させた制御プログラムに従って処理（演算）を行う。ＲＡＭ１３は、ＣＰＵ１１のワークメモリとして使用され、ＲＡＭ１３には、ＣＰＵ１１が演算に使用するデータや、ＣＰＵ１１による演算後のデータ等を保存する。ＣＰＵ１１、ＲＡＭ１３などのハードウェアと、制御プログラムとの協働によって実現される機能ブロックについては、図２を参照しながら後述する。
【００１３】
表示調整支援装置１は、入出力インターフェース（以下、インターフェースをＩ／Ｆと略記する）２０を備える。入出力Ｉ／Ｆ２０は、キーボード２１と、マウス２２と、スキャナ２４と、プリンタ２５とに接続する。また、入出力Ｉ／Ｆ２０は、バス６０に接続する。
【００１４】
表示調整支援装置１は、キーボード２１と、マウス２２と、スキャナ２４と、プリンタ２５とを備える。なお、キーボード２１とマウス２２とを総称して呼ぶ場合には、入力デバイス２３と呼ぶ。入力デバイス２３がユーザによって操作されると、入力デバイス２３は、受け付けた操作内容を示す操作情報を、入出力Ｉ／Ｆ２０を介して制御部１０に送る。スキャナ２４は、画像を光学的に読み取り、表示調整支援装置１内に画像データを取り込む。なお、スキャナ２４は、ＯＣＲ（Optical Character Reader）機能を持たせてもよい。また、プリンタ２５は、画像データや文書データを印刷する。プリンタ２５には、例えば、レーザプリンタやインクジェットプリンタを採用することができる。
【００１５】
表示調整支援装置１は、グラフィックＩ／Ｆ３０と、表示装置３１とを備える。グラフィックＩ／Ｆ３０は、バス６０と表示装置３１とに接続している。グラフィックＩ／Ｆ３０は、制御部１０で処理されたグラフィックデータを表示装置３１に表示させるためのインターフェースである。グラフィックＩ／Ｆ３０は、制御部１０から受け取ったグラフィックデータを波形電気信号に変換して表示装置３１に送る。表示装置３１には、例えば、医用画像データや、患者の電子カルテの情報が表示される。表示装置３１は、医用画像の画素が取りうる階調の値域（例えば、６５５３６（２の１６乗））よりも狭い値域の輝度（例えば、２５６階調）で画素を表示可能な装置である。
【００１６】
表示調整支援装置１は、ネットワークＩ／Ｆ４０を備える。ネットワークＩ／Ｆ４０は、バス６０と、ネットワーク１００とに接続する。ネットワークＩ／Ｆ４０は、ネットワーク１００を介して他の装置に接続する。例えば、表示調整支援装置１は、ＣＴやＭＲＩなどの検査に使用される撮影装置と接続されている。ネットワークＩ／Ｆ４０は、撮影装置で撮影された被検体の医用画像データを受信して、制御部１０に送る。医用画像データは、制御部１０の制御によってＨＤＤ５０に保存される。
なお、ネットワーク１００は、有線または無線を問わない。また、ネットワーク１００は、インターネット（Internet）、ＬＡＮ（Local Area Network）、ＷＡＮ（Wide Area Network）やＶＰＮ（Virtual Private Network）などの任意の種類の通信網を採用できる。
【００１７】
表示調整支援装置１は、ＨＤＤ５０を備える。ＨＤＤ５０は、撮影装置によって撮影された、複数の医用画像データを記憶する。表示調整支援装置１は、不図示の撮影装置に接続されており、撮影装置によって撮影された医用画像データを撮影装置から受信すると、受信した医用画像データをＨＤＤ５０に保存する。なお、図１には、ＨＤＤ５０を記憶装置の一例として示したが、記憶装置は、ハードディスク装置に限定されるものではない。例えば、コンピュータで読み込み可能なＤＶＤ（Digital Versatile Disc）、ＤＶＤ−ＲＡＭ等の可搬記憶媒体でもよい。また、ＣＤ−ＲＯＭ（Compact Disc Read Only Memory）、ＣＤ−Ｒ（Recordable）／ＲＷ（ReWritable）、光磁気ディスク、ＩＣカードなどの可搬記憶媒体であってもよい。
【００１８】
次に、図２を参照しながら表示調整支援装置１の備える機能ブロック７０Ａについて説明する。機能ブロック７０Ａとは、制御部１０のＣＰＵ１１、ＲＡＭ１３などのハードウェアと、制御プログラムとの協働によって実現される処理を、一連の処理で実現される機能ごとにまとめたブロックである。表示調整支援装置１は、機能ブロック７０Ａとして、入力部７１と、範囲設定部７２と、画像変換部７３と、表示制御部７４とを備える。
【００１９】
入力部７１は、範囲設定部７２と、表示制御部７４と、入出力Ｉ／Ｆ２０とに接続している。入力部７１は、入力デバイス２３が受け付けた操作情報を入出力Ｉ／Ｆ２０を介して入力する。入力デバイス２３が操作者によって操作されると、入力デバイス２３は、受け付けた操作に応じた操作情報を制御部１０に送信する。入力部７１は、操作情報として、表示装置３１に表示させる医用画像データを選択する選択情報を入力した場合、入力した選択情報を範囲設定部７２と、表示制御部７４とに出力する。なお、選択情報には、患者ごとに付された患者ＩＤや、医用画像データが撮影された日時等の情報が含まれる。また、入力部７１は、操作情報として、表示装置３１に表示した医用画像の明るさやコントラストを変更する変更指示の情報を入力した場合、入力した変更指示の情報を範囲設定部７２に出力する。
【００２０】
範囲設定部７２は、入力部７１と、画像変換部７３と、ＲＡＭ１３とに接続している。範囲設定部７２は、入力部７１から選択情報を入力した場合、入力した選択情報の示す医用画像データのタグ情報を、当該医用画像データを保存するＲＡＭ１３から取得する。撮影装置により撮影された医用画像データは、撮影対象の患者を識別する患者ＩＤや撮影日時等が付加されて、表示調整支援装置１に送られる。表示調整支援装置１は、受信した医用画像データをＨＤＤ５０に保存する。また、入力部７１が、選択情報を入力した場合、制御部１０の制御によって、選択情報の示す医用画像データがＨＤＤ５０から読み出され、ＲＡＭ１３に保存される。なお、撮影装置から受信した医用画像データをＨＤＤ５０に保存する機能ブロック、選択された医用画像データをＨＤＤ５０から読み出してＲＡＭ１３に保存する機能ブロックの図２への図示は省略する。
医用画像データは、ＤＩＣＯＭ（Digital Imaging and Communication in Medicine）規格に準拠したデータ形式で、医用画像の画像データと、当該画像データに付帯する情報を記録したタグ情報とを備える。ＤＩＣＯＭとは、医用画像の通信及び保存フォーマットに関する標準規格であり、この規格に準拠することで、異なる医療機器間での相互通信性が確保される。また、タグ情報には、前述の患者ＩＤや撮影日時等の情報の他に、グレースケール深度と、部位情報とが含まれる。範囲設定部７２は、タグ情報を取得すると、取得したタグ情報からグレースケール深度と、部位情報とを取得する。グレースケール深度とは、医用画像データの各画素（１画素）が保有する情報の量（単位はビット）を示す。例えば、グレースケール深度が１６ビットの場合、医用画像データの１画素で、画像の濃淡値を６５５３６（２の１６乗）の階調で表現することができる。また、部位情報は、肺、腹部、頭部等の撮影された体の部位を示す情報である。また、医用画像データとは、医用画像を表示装置等に表示させて、医師が病変等があるか否かを診断する対象となる画像データをいい、例えば、ＣＴ画像や、ＭＲＩ装置によって撮影された画像が含まれる。
【００２１】
範囲設定部７２は、グレースケール深度と、部位情報とを取得すると、これらの情報を使用して、ウィンドウレベル（ＷＬ）と、ウィンドウ幅（ＷＷ）との変更範囲を設定する。ウィンドウレベルとウィンドウ幅とは、表示装置３１に表示する医用画像の表示態様を変更するパラメータである。表示態様としての画像の明るさを変更するパラメータがウィンドウレベルである。表示態様としての画像のコントラストを変更するパラメータがウィンドウ幅である。
【００２２】
ここで、ウィンドウレベルとウィンドウ幅とについて説明する。例えば、グレースケール深度が１６ビット（６５５３６階調）の医用画像データの場合、画像の濃淡値（画素値）が６５５３６階調で与えられている。このような階調数の大きい画像の場合、例えば２５６階調を表示可能な表示装置３１では濃淡を表示しきれない。このため、６５５３６階調のうち、特に病変の特定に有効な階調の濃淡を切り出して、表示装置３１で表示可能な２５６階調の輝度値に変換する必要がある。この時の切り出し範囲の幅をウィンドウ幅、切り出し範囲の中心値をウィンドウレベル値という。図３には、グレースケール深度が１６ビットの医用画像データを、ウィンドウレベル２５００、ウィンドウ幅１０００で切り出す場合を示す。なお、以下では、ウィンドウレベルとウィンドウ幅とを設定することを、表示条件を設定すると呼ぶ。また、第１実施形態では、ウィンドウレベルを第１ウィンドウレベルと呼び、ウィンドウ幅を第１ウィンドウ幅と呼ぶ。
【００２３】
次に、第１ウィンドウレベル及び第１ウィンドウ幅と、医用画像のコントラストと明るさとの関係について説明する。第１ウィンドウレベルの値を下げると、表示装置３１のディスプレイに表示する画像全体が明るくなり、第１ウィンドウレベルを上げると、表示装置３１のディスプレイに表示する画像全体が暗くなる。また、第１ウィンドウ幅を小さくすることでコントラストの分解能が向上して、医用画像データの画素値の小さな差を表示装置３１で表示することが可能となる。このため、画像全体がシャープになる。また、第１ウィンドウ幅を大きくすることで、コントラストの分解能が低下し、表示装置３１で表示する画像全体がソフトになる。
【００２４】
範囲設定部７２は、医用画像データの撮影部位を示す部位情報に基づいて２つのパラメータの値を変更する変更範囲を設定する。範囲設定部７２は、まず、タグ情報から取得した部位情報により、部位に応じて設定された第１ウィンドウレベルと第１ウィンドウ幅との変更範囲の標準値をＲＡＭ１３から取得する。ＲＡＭ１３には、肺、腹部、頭部等の部位に応じて設定された第１ウィンドウレベルと第１ウィンドウ幅との標準的な変更範囲の値が標準値として保存されている。範囲設定部７２は、操作者に選択された医用画像データを最初に表示装置３１に表示させる場合、ＲＡＭ１３から取得した標準値よりも広い範囲を変更範囲に設定する。これは、病変の種類や、病変の発生場所によって、病変を発見しやすい画像の明るさやコントラストが様々な値をとるためである。このため、最初は変更範囲を広めに設定しておき、操作者からの指示を入力した場合に、この指示に応じて変更範囲を狭めていったほうが、操作者が病変を特定可能な表示条件を見つける時間を短縮できるからである。例えば、ＲＡＭ１３から取得した第１ウィンドウ幅の変更範囲の標準値が、２０００以上３０００以下であった場合、範囲設定部７２は、第１ウィンドウ幅の変更範囲を、１５００以上、３５００以下に設定する。範囲設定部７２は、第１ウィンドウ幅の変更範囲を設定すると、設定した変更範囲の値を、グレースケール深度に対応した値に変換する。この変換は、グレースケール深度によって１画素の表示する濃淡の階調数が異なるためである。例えば、グレースケール深度が１２ビットの医用画像データと、グレースケール深度が１６ビットの医用画像データでは、第１ウィンドウ幅の変更範囲が異なるからである。範囲設定部７２は、第１ウィンドウレベルについても同様に変更範囲を設定する。範囲設定部７２は、設定した変更範囲の情報と、選択情報によって指定された医用画像データの情報とを画像変換部７３に出力する。なお、以下では、範囲設定部７２が、表示装置３１に最初に表示させる医用画像データに最初に設定した変更範囲を第１変更範囲と呼ぶ。
【００２５】
画像変換部７３は、範囲設定部７２と、表示制御部７４と、ＲＡＭ１３とに接続している。画像変換部７３は、範囲設定部７２から、選択情報によって指定された医用画像データの情報と、第１変更範囲の情報とを取得する。また、画像変換部７３は、範囲設定部７２から入力した医用画像データの情報に該当する医用画像データの実データをＲＡＭ１３から取得する。
画像変換部７３は、医用画像データの階調の値域の一部を表示装置３１の輝度の値域に割り当てるパラメータを変更することで、変更したパラメータに対応する複数の表示画像を生成する。具体的には、画像変換部７３は、まず、表示装置３１に表示される医用画像データの明るさとコントラストとを変更する２つのパラメータである第１ウィンドウレベル及び第１ウィンドウ幅を設定する。画像変換部７３は、設定した２つのパラメータの値に基づいて医用画像データの画素値を輝度値に変換する。画像変換部７３は、これらの処理を、２つのパラメータの値の少なくとも一方を変更しながら複数回行う。具体的には、画像変換部７３は、範囲設定部７２から取得した第１変更範囲内で第１ウィンドウレベルと第１ウィンドウ幅とを変更する。そして、画像変換部７３は、変更した第１ウィンドウレベルと第１ウィンドウ幅とで規定される医用画像データの画素値を輝度値に変換する。
【００２６】
画像変換部７３の処理の詳細について説明する。画像変換部７３は、一方のパラメータの値を一定の値に固定して、他方のパラメータの値を連続的に変化させる。そして、画像変換部７３は、一定の値の一方のパラメータと、変化させた各値の他方のパラメータとで規定される医用画像データの画素値を、輝度値に変換する第１変換処理を実行する。また、画像変換部７３は、一定の値に固定した一方のパラメータの値を他の値に固定して、他方のパラメータの値を連続的に変化させる。そして、画像変換部７３は、他の値の一方のパラメータと、変化させた各値の他方のパラメータとで規定される医用画像データの画素値を、輝度値に変換する第２変換処理を実行する。
画像変換部７３が行う処理の詳細について、図４を参照しながら説明する。図４（Ａ）には、範囲設定部７２が設定した第１変更範囲に基づいて画像変換部７３が設定した表示条件の例を示す。また、図４（Ｂ）には、図４（Ａ）に示す表示条件をプロットしたグラフを示す。グラフの縦軸は第１ウィンドウレベルを示し、横軸は第１ウィンドウ幅を示す。画像変換部７３は、第１ウィンドウレベルと第１ウィンドウ幅との少なくとも一方の値を第１変更範囲内の値に固定し、他方の値を第１変更範囲で一定値ずつ変更する。例えば、範囲設定部７２が設定した第１変更範囲が、第１ウィンドウ幅２０００以上、３０００以下、第１ウィンドウレベルも２０００以上、３０００以下であったとする。まず、画像変換部７３は、第１ウィンドウ幅、第１ウィンドウレベルをそれぞれ最低値の２０００に設定して（図４（Ａ）及び（Ｂ）に示す点ａ）、医用画像データの画素値を輝度値に変換する。輝度値に変換された医用画像データは、シリアル番号が付与されてＲＡＭ１３に保存される。次に、画像変換部７３は、第１ウィンドウ幅を２０００に固定し、第１ウィンドウレベルを２０００に一定値を加算した値に変更する。例えば、一定値を５００とした場合、画像変換部７３は、第１ウィンドウレベルを２５００に設定する（図４（Ａ）及び図４（Ｂ）に示す点ｂ）。画像変換部７３は、設定した第１ウィンドウ幅、第１ウィンドウレベルで規定される医用画像データの画素値を輝度値に変換する。画像変換部７３は、輝度値に変換した医用画像データに、シリアル番号を付与してＲＡＭ１３に保存する。画像変換部７３は、以下、同様にして第１ウィンドウ幅を固定し、第１ウィンドウレベルを一定値（５００）ずつ大きな値に変更する（図４（Ａ）及び図４（Ｂ）に示す点ｃ）。そして、画像変換部７３は、固定した第１ウィンドウ幅と変更後の第１ウィンドウレベルで規定される医用画像データの画素値を輝度値に変換する。以上の処理が第１変換処理に該当する。
次に、第２変換処理について具体的に説明する。第１ウィンドウレベルの値が、第１変更範囲の上限値である３０００まで到達した場合、画像変換部７３は、固定値としていた第１ウィンドウ幅に一定値を加算して、第１ウィンドウ幅の値を一定値大きな値に変更する。この一定値は、第１ウィンドウレベルを変更する一定値と同一の値であってもよいし、異なる値であってもよい。図４（Ａ）及び図４（Ｂ）に示す例では、画像変換部７３は、第１ウィンドウ幅を５００広げて、２５００に設定している。第１ウィンドウ幅の値を変更すると、画像変換部７３は、第１ウィンドウレベルを、変更範囲内の最低値である２０００に設定する（図４（Ａ）及び図４（Ｂ）に示す点ｄ）。画像変換部７３は、変更後の第１ウィンドウ幅２５００と、変更範囲内の最低値である２０００に設定した第１ウィンドウレベルで規定される医用画像データの画素値を輝度値に変換する。画像変換部７３は、以降、同様に、第１ウィンドウ幅を変更後の値に固定して、第１ウィンドウレベルを一定値ずつ大きくし、医用画像データの画素値を輝度値に変換する。画像変換部７３は、上述の処理を、第１ウィンドウ幅と第１ウィンドウレベルとが第１変更範囲内で設定可能な最大値に達するまで行う。すなわち、画像変換部７３は、図４（Ｂ）に示す点ｅ、ｆ、ｇ、ｈ、ｉの順に表示条件を設定し、設定した表示条件で医用画像データの画素値を輝度値に変換する。ここまでの処理が、第２変換処理に該当する。なお、第１ウィンドウレベル及び第１ウィンドウ幅の設定順序は、上述のものに限定されるものではない。例えば、第１ウィンドウレベルのほうを最初に一定値に固定しておいて、第１ウィンドウ幅を一定値ずつ変更していき、第１ウィンドウ幅が上限値に達した場合には、第１ウィンドウレベルを一定値大きな値に変更してもよい。また、第１ウィンドウレベル及び第１ウィンドウ幅を変更する値は、５００に限定されない。また、最初に、第１ウィンドウレベルと第１ウィンドウ幅とを第１変更範囲内の最大値に設定し、一定値ずつ第１ウィンドウレベルと第１ウィンドウ幅とを小さくしていくものであってもよい。
【００２７】
表示制御部７４は、画像変換部７３で生成した複数の表示画像を逐次的に表示装置３１に表示させる。すなわち、表示制御部７４は、前述の第１変換処理で輝度値に変換した医用画像データを、変換した順に表示装置３１に表示させる。また、表示制御部７４は、第２変換処理で輝度値に変換した医用画像データを、変換した順に表示装置３１に表示させる。具体的には、表示制御部７４は、輝度値に変換された複数の医用画像データをシリアル番号順にＲＡＭ１３から読み出して、表示装置３１に表示させる。表示制御部７４は、ＲＡＭ１３から読み出した医用画像データを所定間隔ごとに切替えながら表示装置３１に表示させる。例えば、１〜２秒間隔で、表示装置３１に表示させる医用画像データを切り換える。これによって、表示調整支援装置１の操作者は、静止画である医用画像データを動画のように視認することができる。なお、この所定間隔は、操作者による入力デバイス２３の操作により、長く変更することも、短く変更することもできる。また、表示制御部７４が、医用画像データを表示装置３１に表示させる順番は、画像変換部７３が付加したシリアル番号の小さい順である。すなわち、表示制御部７４は、画像変換部７３が変換した医用画像データの順に、表示装置３１に表示させる。図４（Ａ）及び図４（Ｂ）に示す例では、ａ〜ｉの順番に医用画像データを連続再生する。図５には、図４（Ａ）及び（Ｂ）に示すａ、ｂ、ｃの表示条件で変換した医用画像データを、ａ、ｂ、ｃの順番に表示装置３１に表示した様子を示す。明るさとコントラストとの少なくとも一方を所定値ずつ変更した医用画像データが、表示装置３１に連続的に表示されるため、操作者は、画像診断に適した医用画像を表示装置３１に表示する表示条件を容易に見つけることができる。なお、表示制御部７４は、ｉの表示条件で変換した医用画像データを表示装置３１に表示させると、最初に戻りａ、ｂ、ｃ、・・・、ｉの順番で医用画像データを表示させる。
【００２８】
また、操作者は、入力デバイス２３を操作することで、表示装置３１に表示させる医用画像データの明るさとコントラストを変更することができる。すなわち、入力デバイス２３の操作で、第１ウィンドウレベル及び第１ウィンドウ幅を変更する第１変更範囲を変更することができる。例えば、操作者は、入力デバイス２３としてのマウスを右クリックすることで、画像の明るさを明るくする操作情報を、表示調整支援装置１に入力する。また、マウスを左クリックすることで、画像の明るさを暗くする操作情報を、表示調整支援装置１に入力する。また、マウスを上下方向に移動させることで、画像のコントラストを調整する操作情報を、表示調整支援装置１に入力する。
【００２９】
図６（Ａ）には、「画像の表示を明るく」との操作入力を受け付けた場合に、範囲設定部７２が設定した変更範囲に基づいて画像変換部７３が設定した表示条件の例を示す。図６（Ｂ）には、図６（Ａ）に示す表示条件をプロットしたグラフを示す。
図４（Ａ）に示す表示条件で変換した医用画像データを表示装置３１に表示している間に、入力デバイス２３により、「画像の表示を明るく」との操作入力を受け付けた場合、範囲設定部７２は、第１変更範囲を変更する。変更後の変更範囲を第２変更範囲と呼ぶ。範囲設定部７２は、第１ウィンドウレベルを変更する範囲を、第１変更範囲内で値が小さい範囲に再設定する。第１ウィンドウレベルを変更する範囲を、値の小さい第２変更範囲に下げることで、表示装置３１に表示する画像の明るさが明るくなる。例えば、範囲設定部７２は、「画像の表示を明るく」との操作入力を受け付けた場合、２０００以上、３０００以下に設定していた第１ウィンドウレベルの第１変更範囲を、例えば、２０００以上、２５００以下に設定する。第１ウィンドウレベルの第２変更範囲が、２０００以上、２５００以下に設定されたため、画像変換部７３は、変更された第２変更範囲内で表示条件を設定して、医用画像データの画素値を輝度値に変換する。例えば、図６（Ａ）及び（Ｂ）に示す例では、画像変換部７３は、最初に、第１ウィンドウ幅を２０００に固定して、第１ウィンドウレベルを点ａ（２０００）、点ｂ（２２５０）、点ｃ（２５００）の順に変更する。次に、画像変換部７３は、第１ウィンドウ幅を２５００に固定して、第１ウィンドウレベルを点ｄ（２０００）、点ｅ（２２５０）、点ｆ（２５００）の順に変更する。最後に、画像変換部７３は、第１ウィンドウ幅を３０００に固定して、第１ウィンドウレベルを点ｇ（２０００）、点ｈ（２２５０）、点ｉ（２５００）の順に変更する。
【００３０】
図７（Ａ）には、「画像の表示を暗く」との操作入力を受け付けた場合に、範囲設定部７２が設定した変更範囲に基づいて画像変換部７３が設定した表示条件の例を示す。図７（Ｂ）には、図７（Ａ）に示す表示条件をプロットしたグラフを示す。
図４（Ａ）に示す表示条件で変換した医用画像データを表示装置３１に表示している間に、入力デバイス２３により、「画像の表示を暗く」との操作入力を受け付けた場合、範囲設定部７２は、第１変更範囲を第２変更範囲に変更する。範囲設定部７２は、第１ウィンドウレベルを変更する範囲を、第１変更範囲内で値が大きい範囲に再設定する。第１ウィンドウレベルを変更する範囲を値の大きい範囲に上げることで、表示装置３１に表示する画像の明るさを暗くする。例えば、範囲設定部７２は、「画像の表示を暗く」との操作入力を受け付けた場合、２０００以上、３０００以下に設定していた第１ウィンドウレベルを変更する範囲を、例えば、２５００以上、３０００以下に設定する。第１ウィンドウレベルの第２変更範囲が、２５００以上、３０００以下に設定されたため、画像変換部７３は、変更された第２変更範囲内で表示条件を設定して、医用画像データの画素値を輝度値に変換する。例えば、図７（Ａ）及び（Ｂ）に示す例では、画像変換部７３は、最初に、第１ウィンドウ幅を２０００に固定して、第１ウィンドウレベルを点ａ（２５００）、点ｂ（２７５０）、点ｃ（３０００）の順に変更する。次に、画像変換部７３は、第１ウィンドウ幅を２５００に固定して、第１ウィンドウレベルを点ｄ（２５００）、点ｅ（２７５０）、点ｆ（３０００）の順に変更する。最後に、画像変換部７３は、第１ウィンドウ幅を３０００に固定して、第１ウィンドウレベルを点ｇ（２５００）、点ｈ（２７５０）、点ｉ（３０００）の順に変更する。
【００３１】
図８（Ａ）には、「画像のコントラストを強くする」との操作入力を受け付けた場合に、範囲設定部７２が設定した変更範囲に基づいて画像変換部７３が設定した表示条件の例を示す。図８（Ｂ）には、図８（Ａ）に示す表示条件をプロットしたグラフを示す。
図４（Ａ）に示す表示条件で変換した医用画像データを表示装置３１に表示している間に、入力デバイス２３により、「画像のコントラストを強くする」との操作入力を受け付けとする。この場合、範囲設定部７２は、第１変更範囲を第２変更範囲に変更する。範囲設定部７２は、第１ウィンドウ幅を変更する範囲を狭くした範囲に再設定する。第１ウィンドウ幅を変更する範囲を小さくすることで、画像のコントラスト分解能が向上し、医用画像データの画素値の小さな差を表示装置３１で表示することが可能となる。例えば、範囲設定部７２は、「画像のコントラストを強くする」との操作入力を受け付けた場合、２０００以上、３０００以下に設定していた第１ウィンドウ幅の第１変更範囲を、例えば、１５００以上、２５００以下に設定する。第１ウィンドウ幅の第２変更範囲が、１５００以上、２５００以下に設定されたため、画像変換部７３は、変更された第２変更範囲内で表示条件を設定して、医用画像データの画素値を輝度値に変換する。例えば、図８（Ａ）及び図８（Ｂ）に示す例では、画像変換部７３は、最初に、第１ウィンドウ幅を１５００に固定して、第１ウィンドウレベルを点ａ（２０００）、点ｂ（２５００）、点ｃ（３０００）の順に変更する。次に、画像変換部７３は、第１ウィンドウ幅を２０００に固定して、第１ウィンドウレベルを点ｄ（２０００）、点ｅ（２５００）、点ｆ（３０００）の順に変更する。最後に、画像変換部７３は、第１ウィンドウ幅を２５００に固定して、第１ウィンドウレベルを点ｇ（２０００）、点ｈ（２５００）、点ｉ（３０００）の順に変更する。
【００３２】
なお、操作者は、入力デバイス２３の操作により、表示装置３１に表示させた医用画像を拡大表示させたり、回転させる指示を入力することもできる。
例えば、画像を拡大させる指示入力と、拡大させる画像の中心座標値との指示入力とを入力デバイス２３で受け付けたとする。この場合、制御部１０は、シリアル番号を付してＲＡＭ１３に保存した各医用画像を、指示された座標値を中心に拡大処理した医用画像を生成してＲＡＭ１３に保存する。なお、拡大処理した医用画像には、新たなシリアル番号が付与されてＲＡＭ１３に保存される。制御部１０は、ＲＡＭ１３に保存した医用画像を、付与されたシリアル番号の順に読み出して表示装置３１に表示させる。したがって、表示装置３１には、操作者が指定した位置を中心に画像が拡大表示され、明るさとコントラストとの少なくとも一方が変化する医用画像が、所定間隔ごとに表示される。
【００３３】
次に、図９〜図１１に示すフローチャートを参照しながら、制御部１０の処理手順を説明する。まず、制御部１０は、医用画像データを選択する選択情報の入力を入力デバイス２３で受け付けたか否かを判定する（ステップＳ１）。例えば、医師等の操作者は、患者のＩＤや、医用画像データの撮影日等の医用画像データを選択する情報を入力デバイス２３を操作して入力する。医用画像データを選択する情報の入力を受け付けると（ステップＳ１／ＹＥＳ）、制御部１０は、選択された医用画像データをＨＤＤ５０から読み出してＲＡＭ１３に保存する。次に、制御部１０は、ＲＡＭ１３に保存した医用画像データを取得して、医用画像データのタグ情報から、部位情報と、グレースケール深度とを取得する（ステップＳ２）。制御部１０は、取得した部位情報と、グレースケール深度とから第１ウィンドウ幅と第１ウィンドウレベルとを変更する変更範囲である第１変更範囲を設定する（ステップＳ３）。ＲＡＭ１３には、肺、心臓、頭部等の部位に応じて設定された、第１ウィンドウレベルと第１ウィンドウ幅との変更範囲の標準値が保存されている。制御部１０は、医用画像データのタグ情報から取得した部位情報により、該当する部位の標準値を取得する。次に、制御部１０は、取得した標準値を使用して、第１ウィンドウレベルと第１ウィンドウ幅との第１変更範囲を設定する（ステップＳ４）。第１変更範囲は、標準値よりも広めに設定するとよい。
【００３４】
次に、制御部１０は、第１ウィンドウ幅と、第１ウィンドウレベルとを設定する。まず、制御部１０は、設定した第１変更範囲の下限値に第１ウィンドウ幅と第１ウィンドウレベルを設定する（ステップＳ４）。例えば、第１ウィンドウレベルと第１ウィンドウ幅との第１変更範囲がともに２０００以上、３０００以下であった場合、第１ウィンドウレベル、第１ウィンドウ幅ともに２０００に設定する。制御部１０は、第１変更範囲の下限値に設定した第１ウィンドウ幅と第１ウィンドウレベルとで規定される医用画像データの画素値を輝度値に変換する（ステップＳ４）。制御部１０は、輝度値に変換した医用画像データにシリアル番号を付与してＲＡＭ１３に保存する（ステップＳ４）。
【００３５】
次に、制御部１０は、第１ウィンドウ幅の値は変更せずに、第１ウィンドウレベルの値を一定値大きな値に変更する（ステップＳ５）。例えば、ステップＳ４で使用した第１ウィンドウレベル及び第１ウィンドウ幅がともに２０００であった場合に、制御部１０は、第１ウィンドウ幅は２０００のまま、第１ウィンドウレベルを例えば５００上げて、２５００に設定する。なお、変更する第１ウィンドウレベルの値は、５００に限定されるものではない。
【００３６】
第１ウィンドウレベルを変更すると、制御部１０は、変更後の第１ウィンドウレベルが第１変更範囲の上限値を越えたか否かを判定する（ステップＳ６）。例えば、第１ウィンドウレベルの第１変更範囲が２０００以上、３０００以下であった場合、制御部１０は、変更後の第１ウィンドウレベルが３０００よりも大きくなったか否かを判定する。ステップＳ６の判定が否定判定の場合、制御部１０は、変更後の第１ウィンドウレベルと、固定の第１ウィンドウ幅で規定される医用画像データの画素値を輝度値に変換する（ステップＳ７）。制御部１０は、輝度値に変換した医用画像データにシリアル番号を付与してＲＡＭ１３に保存する（ステップＳ７）。その後、制御部１０は、ステップＳ５の処理に戻り、第１ウィンドウレベルの値をさらに一定値大きな値に変更する（ステップＳ５）。そして、制御部１０は、ステップＳ６の判定を再度行う。また、ステップＳ６の判定が肯定判定であった場合、制御部１０は、固定にしていた第１ウィンドウ幅の値を一定値大きな値に変更する（ステップＳ８）。そして、制御部１０は、変更後の第１ウィンドウ幅が第１変更範囲の上限値を越えたか否かを判定する（ステップＳ９）。上述のように、例えば、第１ウィンドウ幅の第１変更範囲が２０００以上、３０００以下であった場合、変更後の第１ウィンドウ幅が３０００よりも大きくなったか否かを判定する。
【００３７】
ステップＳ９の判定が否定判定の場合、制御部１０は、変更後の第１ウィンドウ幅と、第１変更範囲の下限値の第１ウィンドウレベルとで規定される医用画像データの画素値を輝度値に変換する（ステップＳ１０）。制御部１０は、輝度値に変換した医用画像データをＲＡＭ１３に保存する（ステップＳ１０）。その後、制御部１０は、ステップＳ５の処理に戻り、ウィンドウ幅は変更せずに、第１ウィンドウレベルの値をさらに一定値大きな値に変更する（ステップＳ５）。そして、制御部１０は、ステップＳ６の判定を再度行う。
また、ステップＳ９の判定が肯定判定の場合、制御部１０は、医用画像データの輝度値への変換を終了する。この場合、制御部１０は、第１ウィンドウレベルと第１ウィンドウ幅とを変更範囲内の全範囲で変更して、医用画像データの画素値を輝度値に変更したと判定する。このため、医用画像データの輝度値への変換を終了する。医用画像データの輝度値への変換が終了すると、制御部１０は、変換後の医用画像データを、ＲＡＭ１３に保存した順番が小さい順に表示装置３１に表示させる（ステップＳ１１）。すなわち、制御部１０は、最初に、第１ウィンドウ幅を変更範囲の下限値に設定し、第１ウィンドウレベルを値が徐々に大きくなるように設定して変換した医用画像データを、表示装置３１に所定間隔ごとに表示する。次に、制御部１０は、第１ウィンドウ幅を一定値大きな値に設定し、第１ウィンドウレベルを値が徐々に大きくなるように設定して変換した医用画像データを、表示装置３１に所定間隔ごとに表示する。この医用画像データの表示を、第１ウィンドウレベルと第１ウィンドウ幅とが、第１変更範囲内で設定可能な最大の値となるまで繰り返し行う。第１ウィンドウレベルと第１ウィンドウ幅が第１変更範囲内で設定可能な最大の値に設定して変換した医用画像データを表示装置３１に表示させると、制御部１０は、表示した医用画像データを再度、表示装置３１に表示させる。すなわち、制御部１０は、第１ウィンドウ幅を変更範囲の下限値に設定し、第１ウィンドウレベルを値が徐々に大きくなるように設定して変換した医用画像データを、表示装置３１に連続表示する。
【００３８】
次に、医用画像データを表示装置３１に表示させている際に、表示中の医用画像データの明るさ又はコントラストを変更する操作入力があった場合の処理フローについて、図１０及び１１のフローチャートを参照しながらを説明する。
制御部１０は、操作入力を受け付けると（ステップＳ１２／ＹＥＳ）、まず、受け付けた操作入力は、画像の明るさを明るくする指示であったか否かを判定する（ステップＳ１４）。ステップＳ１４の判定が肯定判定の場合、制御部１０は、第１ウィンドウレベルを変更する範囲を、第１変更範囲内で値が小さい第２変更範囲に再設定する（ステップＳ１５）。第１ウィンドウレベルの変更範囲を値の小さい第２変更範囲に変更することで、表示装置３１に表示される医用画像の明るさが明るくなる。例えば、再設定前の第１ウィンドウレベルの第１変更範囲が２０００以上、３０００以下であった場合に、第１ウィンドウレベルを変更する範囲を２０００以上、２５００以下である第２変更範囲に再設定する。その後、制御部１０は、再設定した第２変更範囲の第１ウィンドウレベル及び第１ウィンドウ幅を使用して、図９に示すＳ４〜Ｓ１１の処理を繰り返す。また、操作入力を受け付けていない場合（ステップＳ１２／ＮＯ）、制御部１０は、ＲＡＭ１３に保存している、輝度値に変換した医用画像データを、シリアル番号順に表示装置３１に表示させる（ステップＳ１３）。
【００３９】
また、ステップＳ１４の判定が否定判定の場合、制御部１０は、受け付けた操作入力は、画像の明るさを暗くする指示であったか否かを判定する（ステップＳ１６）。ステップＳ１６の判定が肯定判定であった場合、制御部１０は、第１ウィンドウレベルを変更する範囲を、第１変更範囲内で値が大きい第２変更範囲に再設定する（ステップＳ１７）。例えば、再設定前の第１ウィンドウレベルの変更範囲が２０００以上、３０００以下であった場合に、第１ウィンドウレベルの範囲を２５００以上、３０００以下である第２変更範囲に再設定する。その後、制御部１０は、再設定した第２変更範囲の第１ウィンドウレベル及び第１ウィンドウ幅を使用して、図９に示すＳ４〜Ｓ１１の処理を繰り返す。
【００４０】
また、ステップＳ１６の判定が否定判定の場合、制御部１０は、受け付けた操作入力は、画像のコントラストを高くする指示であったか否かを判定する（ステップＳ１８）。ステップＳ１８の判定が否定判定であった場合、制御部１０は、第１ウィンドウ幅を変更する第１変更範囲を再設定する（ステップＳ１９）。この場合、制御部１０は、第１ウィンドウ幅を変更する第１変更範囲を値の小さい第２変更範囲に変更する。第１ウィンドウ幅を小さくすることでコントラスト分解能が向上し、医用画像データの画素値の小さな差を表示装置３１で表示することが可能となる。例えば、変更前の第１ウィンドウ幅の第１変更範囲が、２０００以上、３０００以下であった場合に、第１ウィンドウ幅を変更する範囲を、１５００以上、２２００以下の第２変更範囲に変更する。この後、制御部１０は、再設定した第２変更範囲の第１ウィンドウレベル及び第１ウィンドウ幅を使用して、図９に示すＳ４〜Ｓ１１の処理を繰り返す。
【００４１】
また、ステップＳ１８の判定が肯定判定であった場合、制御部１０は、受け付けた操作入力は、医用画像を選択する指示であったか否かを判定する（ステップＳ２０）。肯定判定であった場合、制御部１０は、選択された医用画像データを表示させる（ステップＳ２１）。すなわち、制御部１０は、選択された医用画像データだけを表示装置３１に表示させ、他の医用画像は、表示装置３１に表示させない。
【００４２】
以上、詳細に説明したように本実施形態は、第１ウィンドウレベル及び第１ウィンドウ幅を変更しながら輝度値に変換した医用画像データを、所定間隔ごとに切替えて表示装置３１に表示させる。したがって、表示装置３１には、明るさとコントラストとの少なくとも一方が切り替わる医用画像を表示させることができる。このため、操作者は、表示装置３１に表示される医用画像を見ながら、病変を診断可能な表示条件を見つけることができる。したがって、画像診断に適した医用画像を、簡単な操作で表示装置に表示可能にすることができる。
また、本実施形態は、医用画像の撮影部位を示す部位情報に基づいて２つのパラメータの変更範囲である第１変更範囲を設定し、設定した範囲内で２つのパラメータの値を変更する。このため、画像診断に適した医用画像が含まれる範囲で、医用画像の明るさとコントラストとを変更することができる。したがって、画像診断に適した医用画像を効率的に表示装置に表示させることができる。
【００４３】
なお、上述した第１実施形態では、第１変換処理と第２変換処理との両方の処理を行って、これらの変換処理で輝度値に変換された医用画像データを表示装置３１に表示させていた。これ以外に、例えば、第１変換処理と第２変換処理とのいずれか一方を行って、輝度値に変換した医用画像データを表示装置３１に表示させるものであってもよい。すなわち、２つのパラメータのうちの一方を変更せずに固定し、他方を連続的に変更して輝度変換した医用画像データを表示装置３１に表示させるものであってもよい。
【００４４】
（変形例）
上述した実施形態では、１つの医用画像データの画素値を、表示条件を変更しながら輝度値に変更して、表示装置３１に表示する場合を説明した。この変形例では、１つの医用画像データだけではなく複数の医用画像データを使用する。
【００４５】
入力デバイス２３により選択を受け付けた医用画像データが、同じ患者の医用画像データであって、撮影日が異なるものであったとする。例えば、撮影日の異なる２つの過去の医用画像データと、患者の現在の状態を示す現在の医用画像データであったとする。以下、２つの過去の医用画像データを過去画像１、過去画像２と呼ぶ。過去画像１は、過去画像２よりも過去に撮影された医用画像データであるとする。また、患者の現在の状態を示す医用画像データを現在画像と呼ぶ。また、これらの医用画像データを総称する場合には、画像セットという。
【００４６】
範囲設定部７２は、画像セットに共通に使用する第１変更範囲を設定する。画像変換部７３は、画像変換の際に、同じ表示条件を使用して、過去画像１、過去画像２及び現在画像の画素値を輝度値に変換する。例えば、図４（Ａ）に示す表示条件で、画像セットの画素値を輝度値に変換する場合には、ａ〜ｉの各点に規定された表示条件で輝度値に変換された過去画像１、過去画像２、現在画像の画像セットを生成する。
【００４７】
表示制御部７４は、各パラメータに同一の値を設定して変換された画像セットを表示装置３１に連続して表示させる。具体的には、表示制御部７４は、同じ表示条件で輝度値に変換された医用画像データを、過去画像１、過去画像２、現在画像の順に表示装置３１に表示させる。図１２（Ａ）には、同じ表示条件で変換された医用画像データを、過去画像１、過去画像２、現在画像の順に表示装置３１に表示させた様子を示す。表示条件の同じ過去画像１、過去画像２、現在画像を表示装置３１に表示させると、表示制御部７４は、次の表示条件で変換された医用画像データの過去画像１、過去画像２、現在画像を表示装置３１に表示させる。図１２（Ｂ）には、（Ａ）とは表示条件を変更して変換した医用画像データを、過去画像１、過去画像２、現在画像の順に表示装置３１に表示させた様子を示す。
【００４８】
この変形例では、同じ表示条件で変換された過去画像１、過去画像２、現在画像が連続的に表示装置３１に表示される。このため、患者の過去に撮影された医用画像と、現在の医用画像とを比較する画像を表示装置３１に表示させることができる。
【００４９】
（第２実施形態）
第２実施形態について説明する。なお、本実施形態のハードウェア構成は、図１に示す構成と同一であるため、説明を省略する。
【００５０】
図１３に、本実施形態の機能ブロック７０Ｂの一例を示す。本実施形態は、図２に示す機能ブロック７０Ａの構成に加えて、異常陰影候補検出部７５をさらに備えている。異常陰影候補検出部７５は、入力部７１と、範囲設定部７２と、ＲＡＭ１３とに接続している。
異常陰影候補検出部７５は、入力部７１から医用画像データを選択する選択情報を入力する。異常陰影候補検出部７５は、選択情報の示す医用画像データの実データをＲＡＭ１３から取得して、画像解析を行うことにより異常陰影の候補を検出する。異常陰影候補検出部７５が異常陰影の候補を検出する技術として、例えば、ＣＡＤ（Computer Aided Diagnosis）と呼ばれる異常陰影候補検出装置に用いられる技術を用いることができる。病変部の陰影は、特徴的な濃度分布を有することが多く、ＣＡＤは、このような濃度特性に基づいて病変部と推測される画像領域を異常陰影候補として検出する。異常陰影候補検出部７５の異常陰影の候補の検出技術は、この他にも一般的に知られた公知の方法を用いることができる。異常陰影候補検出部７５は、異常陰影候補を検出すると、入力部７１から入力した選択情報の示す医用画像データと、この医用画像データから検出した候補領域の座標値とを範囲設定部７２に出力する。
【００５１】
範囲設定部７２は、異常陰影候補検出部７５から医用画像データと、候補領域の座標値とを入力する。範囲設定部７２は、入力した候補領域の座標値が示す医用画像データの画素値を取得する。範囲設定部７２は、取得した候補領域の画素値を用いて第１ウィンドウレベルと第１ウィンドウ幅とを設定する。範囲設定部７２は、例えば、候補領域の画素値を値の小さい順に並べて、最も値の小さい画素値から数えて２５％にあたる２５％点、中央にあたる５０％点（中央値）、７５％にあたる７５％点の画素値をそれぞれ検出する。範囲設定部７２は、検出した５０％点を、第１ウィンドウレベルの値に設定する。さらに、範囲設定部７２は、７５％点の画素値から２５％点の画素値までの画素数を第１ウィンドウ幅に設定する。この他に、画素値の最小値と最大値の幅を第１ウィンドウ幅に設定することもできる。
【００５２】
次に、範囲設定部７２は、設定した第１ウィンドウレベル及び第１ウィンドウ幅を基準にして、第１ウィンドウレベル及び第１ウィンドウ幅を変更する範囲である第１変更範囲を設定する。第１変更範囲の設定は、例えば、第１ウィンドウレベルの場合、第１ウィンドウレベルの値を中央値に設定して、第１ウィンドウレベルに所定値を加算、減算して第１変更範囲を設定してもよい。また、所定値は、肺、心臓、胃等の体の部位ごとに用意された値を使用することができる。例えば、候補領域の画素値から設定した第１ウィンドウレベルが１０００で、第１ウィンドウ幅が１５００であったとする。この場合、範囲設定部７２は、第１ウィンドウレベル１０００に、所定値として５００を加算した値を、第１ウィンドウレベルの上限値に設定する。また、範囲設定部７２は、第１ウィンドウレベル１０００から、所定値として５００を減算した値を、第１ウィンドウレベルの下限値に設定する。範囲設定部７２は、第１ウィンドウ幅についても同様に処理する。
なお、第１ウィンドウレベル及び第１ウィンドウ幅の変更範囲である第１変更範囲を設定した後の制御部１０の処理については、第１実施形態と同様であるので、説明を省略する。
【００５３】
以上説明したように本実施形態は、異常陰影候補検出部７５が画像解析により検出した異常陰影の候補の画素値に基づいて、第１ウィンドウレベル及び第１ウィンドウ幅を変更する第１変更範囲を設定する。このため、画像診断に適した医用画像をより効率的に表示装置に表示させることができる。
【００５４】
（第３実施形態）
本第３実施形態は、Ｘ線ＣＴ装置やＭＲＩ装置等の撮影装置により撮影された三次元医用画像を表示装置３１に表示させる際の表示条件を調整する実施形態である。
【００５５】
図１４に、本実施形態の制御部１０が備える機能ブロック７０Ｃの構成の一例を示す。本実施形態は、図２に示す機能ブロック７０Ａが備えるブロックの他に、異常陰影候補検出部７５と、断層画像生成部７６と、画像生成部７７とを備える。
【００５６】
異常陰影候補検出部７５は、入力部７１と、断層画像生成部７６と、範囲設定部７２と、ＲＡＭ１３とに接続している。異常陰影候補検出部７５は、三次元医用画像を選択する選択情報を入力部７１から入力する。異常陰影候補検出部７５は、選択情報で指定された三次元医用画像をＲＡＭ１３から取得し、取得した三次元医用画像に画像解析を行う。画像解析の結果、三次元医用画像に異常陰影の候補を検出した場合、異常陰影候補検出部７５は、異常陰影の候補領域の座標値と三次元医用画像とを、断層画像生成部７６と範囲設定部７２とに出力する。
【００５７】
断層画像生成部７６は、異常陰影候補検出部７５と、ＲＡＭ１３とに接続している。断層画像生成部７６は、異常陰影候補検出部７５から候補領域の座標値と、三次元医用画像とを入力する。断層画像生成部７６は、三次元医用画像を、候補領域を含む所定の切断面で切断して、２次元の断層画像を生成する。断層画像生成部７６は、生成した断層画像をＲＡＭ１３に保存する。なお、生成する断層画像は、１つであっもよい。これは、異常陰影候補検出部７５が検出する異常陰影の画素値は、ほぼ一定の値をとるからである。
【００５８】
範囲設定部７２は、異常陰影候補検出部７５から候補領域の座標値と三次元医用画像とを入力する。範囲設定部７２は、入力した候補領域の座標値が示す三次元医用画像データのボクセル値を取得する。範囲設定部７２は、取得した候補領域のボクセル値を用いて第１ウィンドウレベルと第１ウィンドウ幅とを設定する。第１ウィンドウレベル及び第１ウィンドウ幅の設定方法は、第２実施形態と同様であるため、説明を省略する。また、範囲設定部７２は、設定した第１ウィンドウレベル及び第１ウィンドウ幅を基準にして、第１ウィンドウレベル及び第１ウィンドウ幅を変更する範囲である第１変更範囲を設定する。第１変更範囲の設定方法についても第２実施形態と同様であるため、説明を省略する。範囲設定部７２は、設定した第１変更範囲を画像生成部７７に出力する。
【００５９】
この後、第１実施形態で説明したように、画像変換部７３は、第１変更範囲内で、第１ウィンドウレベル及び第１ウィンドウ幅を変更して、変更した表示条件でＲＡＭ１３から取得した断層画像のボクセル値を輝度値に変換する。表示制御部７４は、画像変換部７３が変換した断層画像を、表示装置３１に所定間隔ごとに表示させる。
【００６０】
操作者は、図６〜図８を参照しながら説明したように、画像を明るくする等の操作入力を入力しながら、表示装置３１に表示される断層画像のなかから、病変があるか否かを診断可能な輝度値の断層画像を選択する。断層画像を選択する選択入力を入力デバイス２３により受け付けると、範囲設定部７２は、選択された断層画像を輝度値に変換した際の表示条件をＲＡＭ１３から取得する。範囲設定部７２は、断層画像の表示条件を取得すると、取得した表示条件を使用して、三次元画像の不透明度を設定する。
【００６１】
図１５には、三次元画像のボクセル値と不透明度との対応関係の一例を示すグラフを示す。図１５に示すボクセル値と不透明度との対応関係を示す曲線がオパシティカーブ（不透明度曲線）を示す。
不透明度は、０．０〜１．０の範囲で設定されており、０．０を完全な透明、１．０を完全な不透明としている。また、図１５に示すａ及びｂの範囲は、不透明度が段階的に変化する領域である。このａ及びｂの範囲では、ボクセル値が、不透明度に応じた値で表示される。また、不透明度のウィンドウ幅は、不透明度が１．０のボクセル値の範囲の幅を示し、不透明度のウィンドウレベルは、不透明度が１．０のボクセル値の範囲の中央値を示す。なお、以下では、不透明度のウィンドウレベル及びウィンドウ幅の変更範囲を第３変更範囲と呼ぶ。また、不透明度のウィンドウレベルを第２ウィンドウレベルと呼び、不透明度のウィンドウ幅を第２ウィンドウ幅と呼ぶ。第２ウィンドウレベルと第２ウィンドウ幅とが、表示装置３１に表示される医用画像の表示態様を変更するパラメータに該当する。第２ウィンドウレベルと第２ウィンドウ幅とを変更することで、医用画像データの各ボクセルに割り当てる不透明度が変更される。
【００６２】
範囲設定部７２は、ＲＡＭ１３から表示条件として取得した、断層画像の第１ウィンドウレベル及び第１ウィンドウ幅を使用して、第３変更範囲を設定する。まず、範囲設定部７２は、断層画像の第１ウィンドウレベル及び第１ウィンドウ幅を第２ウィンドウレベル及び第２ウィンドウ幅に設定する。次に、範囲設定部７２は、設定した２ウィンドウレベル及び第２ウィンドウ幅を使用して、第２ウィンドウレベル及び第２ウィンドウ幅を変更する第３変更範囲を設定する。範囲設定部７２は、第２ウィンドウレベルと第２ウィンドウ幅との値に、それぞれ所定値を加算し、又は減算して、第３変更範囲を設定する。例えば、第２ウィンドウレベル及び第２ウィンドウ幅がともに２５００であったとする。この場合、範囲設定部７２は、第２ウィンドウレベル２５００に一定値として５００を加算した値を第３変更範囲の上限値に設定し、第２ウィンドウレベル２５００から一定値として５００を減算した値を第３変更範囲の下限値に設定する。範囲設定部７２は、第２ウィンドウ幅についも同様に処理する。
【００６３】
画像生成部７７は、範囲設定部７２が設定した第３変更範囲内で第２ウィンドウレベル及び第２ウィンドウ幅を設定する。そして、画像生成部７７は、設定した第２ウィンドウレベル及び第２ウィンドウ幅で規定される不透明度に基づいて、三次元画像のボリュームレンダリングを実行することにより、疑似三次元画像を生成する。
図１６（Ａ）には、範囲設定部７２が設定した第３変更範囲に基づいて画像生成部７７が設定した不透明度の条件の一例を示す。画像生成部７７は、図１６（Ａ）に示すａ〜ｉの順に、第２ウィンドウ幅及び第２ウィンドウレベルを設定する。画像生成部７７は、設定した第２ウィンドウ幅及び第２ウィンドウレベルで規定される不透明度に基づいて、三次元画像のボリュームレンダリングを実行する。画像生成部７７は、ボリュームレンダリングにより疑似三次元画像を生成するごとに、生成した疑似三次元画像にシリアル番号を付与してＲＡＭ１３に保存する。
【００６４】
表示制御部７４は、疑似三次元画像をシリアル番号順にＲＡＭ１３から読み出して表示装置３１に表示させる。表示制御部７４は、疑似三次元画像を所定間隔ごとに切替えながら表示装置３１に表示させる。
【００６５】
次に、図１７に示すフローチャートを参照しながら本実施形態の処理手順を説明する。
まず、制御部１０は、三次元医用画像データを選択する入力を入力デバイス２３で受け付けたか否かを判定する（ステップＳ５１）。三次元医用画像データを選択する情報の入力を受け付けると（ステップＳ５１／ＹＥＳ）、制御部１０は、選択された医用画像データをＨＤＤ５０から読み出してＲＡＭ１３に保存する。次に、制御部１０は、三次元医用画像データをＲＡＭ１３から取得し、取得した三次元医用画像データに解析処理を行い、異常陰影の候補領域を検出する（ステップＳ５２）。候補領域を検出した場合、制御部１０は、候補領域のボクセル値を三次元医用画像データから取得し、取得したボクセル値を使用して第１ウィンドウレベル及び第１ウィンドウ幅を設定する（ステップＳ５３）。また、制御部１０は、設定した第１ウィンドウレベル及び第１ウィンドウ幅に基づいて、第１ウィンドウレベル及び第１ウィンドウ幅を変更する範囲である第１変更範囲を設定する（ステップＳ５４）。次に、制御部１０は、三次元医用画像データを所定の断面で切断して、候補領域を含む断層画像を生成する。そして、制御部１０は、設定した第１変更範囲内で第１ウィンドウレベル及び第１ウィンドウ幅を変更しながら、候補領域を含む断層画像のボクセル値を輝度値に変換する（ステップＳ５５）。制御部１０は、輝度値に変換した断層画像に、変換順にシリアル番号を付与してＲＡＭ１３に保存する。
【００６６】
次に、制御部１０は、シリアル番号順にＲＡＭ１３から断層画像を読み出して表示装置３１に表示させる（ステップＳ５６）。制御部１０は、断層画像を所定間隔ごとに切替えながら表示装置３１に表示させる（ステップＳ５６）。表示装置３１に表示させた複数の断層画像のなかから、断層画像を選択する選択入力を入力デバイス２３で受け付けた場合（ステップＳ５７）、制御部１０は、選択された断層画像の表示条件をＲＡＭ１３から取得する。すなわち、制御部１０は、選択された断層画像のボクセル値を輝度値に変換した際に使用した第１ウィンドウレベル及び第１ウィンドウ幅をＲＡＭ１３から取得する（ステップＳ５８）。
【００６７】
次に、制御部１０は、取得した第１ウィンドウレベル及び第１ウィンドウ幅を、ボクセル値ごとの不透明度を設定する際に使用する第２ウィンドウレベル及び第２ウィンドウ幅に設定する（ステップＳ５９）。制御部１０は、設定した第２ウィンドウレベル及び第２ウィンドウ幅を使用して、第２ウィンドウレベル及び第２ウィンドウ幅の変更範囲である第３変更範囲を設定する（ステップＳ６０）。制御部１０は、設定した第３変更範囲内で第２ウィンドウレベル及び第２ウィンドウ幅を変更する。制御部１０は、変更した第２ウィンドウレベル及び第２ウィンドウ幅で規定される不透明度に基づいて、三次元画像のボリュームレンダリングを実行し、疑似三次元画像を生成する（ステップＳ６１）。制御部１０は、ボリュームレンダリングにより疑似三次元画像を生成するごとに、生成した疑似三次元画像にシリアル番号を付与してＲＡＭ１３に保存する。
【００６８】
次に、制御部１０は、シリアル番号順にＲＡＭ１３から疑似三次元画像を読み出して表示装置３１に表示させる（ステップＳ６２）。制御部１０は、断層画像を所定間隔ごとに切替えながら表示装置３１に表示させる（ステップＳ６２）。表示装置３１に表示させた複数の疑似三次元画像のなかから、疑似三次元画像を選択する入力を受け付けた場合（ステップＳ６３）、制御部１０は、選択された疑似三次元画像を表示装置３１に表示させる（ステップＳ６４）。
【００６９】
以上、詳細に説明したように本実施形態は、不透明になるボクセル値の範囲が連続的に切り替わる疑似三次元画像を生成して、表示装置３１に表示することができる。操作者は、表示装置３１に表示される疑似三次元画像を見ながら、見たい部位が不透明となり、不要な部位が透明となる疑似三次元画像を容易に選択することができる。また、疑似三次元画像を生成する際に使用する第２ウィンドウレベル及び第２ウィンドウ幅は、操作者が、病変を診断可能と判断した断層画像の表示条件を反映している。このため、表示装置３１に表示される疑似三次元画像は、画像の明るさとコントラストとが調整された画像となり、病変の診断に適した画像となる。
【００７０】
なお、上述した第３実施形態では、第１ウィンドウレベル及び第１ウィンドウ幅を、そのまま第２ウィンドウレベル及び第２ウィンドウ幅として使用した。これ以外に、第１実施形態で使用した第１ウィンドウレベルと第１ウィンドウ幅との変更範囲の標準値をそのまま第３変更範囲として設定してもよい。すなわち、断層画像を生成して、画像の明るさとコントラストを調整する処理を行わなくても、図１７に示すＳ５９〜Ｓ６４の処理を独立して行うことができる。
【００７１】
上述した実施形態は、本発明の好適な実施の形態である。但し、これに限定されるものではなく、本発明の要旨を逸脱しない範囲内において種々変形実施が可能である。
【００７２】
なお、以上の説明に関して更に以下の付記を開示する。
（付記１）  医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成し、
生成した前記複数の表示画像を逐次的に前記表示装置に表示させる処理をコンピュータに実行させることを特徴とするプログラム。
（付記２）  前記パラメータは、画像の明るさを変更するウィンドウレベルと、画像のコントラストを変更するウィンドウ幅とを含み、
前記複数の表示画像を生成する処理は、前記ウィンドウレベル及び前記ウィンドウ幅で規定される前記医用画像の画素値を、輝度値に変換する処理を、前記ウィンドウレベルと前記ウィンドウ幅との少なくとも一方の値を変更しながら複数回行う処理であることを特徴とする付記１記載のプログラム。
（付記３）    前記複数の表示画像を生成する処理は、前記医用画像の撮影部位を示す部位情報に基づいて前記ウィンドウレベルと前記ウィンドウ幅とを変更する変更範囲を設定し、設定した前記変更範囲内で前記ウィンドウレベルと前記ウィンドウ幅との少なくとも一方の値を変更しながら、前記ウィンドウレベル及び前記ウィンドウ幅で規定される前記医用画像の画素値を、輝度値に変換することを特徴とする付記２記載のプログラム。
（付記４）  前記複数の表示画像を生成する処理は、前記ウィンドウレベルと前記ウィンドウ幅との一方のパラメータの値を一定の値に固定して、他方のパラメータの値を連続的に変化させ、前記一定の値の前記一方のパラメータと、変化させた各値の前記他方のパラメータとで規定される前記医用画像の画素値を、輝度値に変換する第１変換処理と、前記一定の値に固定した前記一方のパラメータの値を他の値に固定して、前記他方のパラメータの値を連続的に変化させ、前記他の値の前記一方のパラメータと、変化させた各値の前記他方のパラメータとで規定される前記医用画像の画素値を、輝度値に変換する第２変換処理とを含み、
前記表示装置に表示させる処理は、前記第１変換処理で輝度値に変換した前記医用画像を、変換した順に前記表示装置に表示させる処理と、
前記第２変換処理で輝度値に変換した前記医用画像を、変換した順に前記表示装置に表示させる処理とを含むことを特徴とする付記２又は３記載のプログラム。
（付記５）  前記医用画像には、撮影日の異なる複数の医用画像が含まれ、
前記複数の表示画像を生成する処理は、前記医用画像の画素値を前記輝度値に変換する処理を、前記撮影日の異なる前記複数の医用画像のそれぞれについて行い、
前記表示装置に表示させる処理は、前記複数の医用画像の画素値を輝度値に変換する際に、前記複数の医用画像で各パラメータに同一の値を設定して変換した医用画像を前記表示装置に連続して表示させた後に、前記同一の値を他の値に変更して変換した医用画像を前記表示装置に連続して表示させることを特徴とする付記２記載のプログラム。
（付記６）  前記複数の表示画像を生成する処理は、前記医用画像に画像解析を行って、異常な陰影を示す前記医用画像の候補領域を検出し、前記検出した候補領域の画素値に基づいて、前記ウィンドウレベルと前記ウィンドウ幅との変更範囲を設定して、設定した前記変更範囲内で前記ウィンドウレベルと前記ウィンドウ幅との少なくとも一方を変更しながら、前記ウィンドウレベルと前記ウィンドウ幅とに基づいて前記医用画像の画素値を輝度値に変換することを特徴とする付記２記載のプログラム。
（付記７）  前記パラメータとして、ボリュームレンダリング処理におけるオパシティカーブの不透明度の中央値を変更する中央値パラメータと、前記オパシティカーブの不透明度の幅値を変更する幅値パラメータとを含み、
前記複数の表示画像を生成する処理は、前記中央値パラメータと前記幅値パラメータとの少なくとも一方の値を変更しながら、前記医用画像の各画素に割り当てる不透明度を変更して、前記医用画像の疑似三次元画像を複数生成し、
前記表示装置に表示させる処理は、前記不透明度を変更しながら生成した疑似三次元画像を、所定間隔ごとに前記表示装置に表示させることを特徴とする付記１記載のプログラム。
（付記８）  コンピュータにより実行される表示調整支援方法であって、
医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成するステップと、
生成した前記複数の表示画像を逐次的に前記表示装置に表示させるステップを有することを特徴とする表示調整支援方法。
（付記９）  前記パラメータは、画像の明るさを変更するウィンドウレベルと、画像のコントラストを変更するウィンドウ幅とを含み、
前記複数の表示画像を生成するステップは、前記ウィンドウレベル及び前記ウィンドウ幅で規定される前記医用画像の画素値を、輝度値に変換する処理を、前記ウィンドウレベルと前記ウィンドウ幅との少なくとも一方の値を変更しながら複数回行うステップであることを特徴とする付記８記載の表示調整支援方法。
（付記１０）  前記複数の表示画像を生成するステップは、前記医用画像の撮影部位を示す部位情報に基づいて前記ウィンドウレベルと前記ウィンドウ幅とを変更する変更範囲を設定し、設定した前記変更範囲内で前記ウィンドウレベルと前記ウィンドウ幅との少なくとも一方の値を変更しながら、前記ウィンドウレベル及び前記ウィンドウ幅で規定される前記医用画像の画素値を、輝度値に変換することを特徴とする付記９記載の表示調整支援方法。
（付記１１）  前記複数の表示画像を生成するステップは、前記ウィンドウレベルと前記ウィンドウ幅との一方のパラメータの値を一定の値に固定して、他方のパラメータの値を連続的に変化させ、前記一定の値の前記一方のパラメータと、変化させた各値の前記他方のパラメータとで規定される前記医用画像の画素値を、輝度値に変換する第１変換ステップと、前記一定の値に固定した前記一方のパラメータの値を他の値に固定して、前記他方のパラメータの値を連続的に変化させ、前記他の値の前記一方のパラメータと、変化させた各値の前記他方のパラメータとで規定される前記医用画像の画素値を、輝度値に変換する第２変換ステップとを含み、
前記表示装置に表示させるステップは、前記第１変換ステップで輝度値に変換した前記医用画像を、変換した順に前記表示装置に表示させるステップと、
前記第２変換ステップで輝度値に変換した前記医用画像を、変換した順に前記表示装置に表示させるステップとを含むことを特徴とする付記９又は１０記載の表示調整支援方法。
（付記１２）  前記医用画像には、撮影日の異なる複数の医用画像が含まれ、
前記複数の表示画像を生成するステップは、前記医用画像の画素値を前記輝度値に変換する処理を、前記撮影日の異なる前記複数の医用画像のそれぞれについて行い、
前記表示装置に表示させるステップは、前記複数の医用画像の画素値を輝度値に変換する際に、前記複数の医用画像で各パラメータに同一の値を設定して変換した医用画像を前記表示装置に連続して表示させた後に、前記同一の値を他の値に変更して変換した医用画像を前記表示装置に連続して表示させることを特徴とする付記９記載の表示調整支援方法。
（付記１３）  前記複数の表示画像を生成するステップは、前記医用画像に画像解析を行って、異常な陰影を示す前記医用画像の候補領域を検出し、前記検出した候補領域の画素値に基づいて、前記ウィンドウレベルと前記ウィンドウ幅との変更範囲を設定して、設定した前記変更範囲内で前記ウィンドウレベルと前記ウィンドウ幅との少なくとも一方を変更しながら、前記ウィンドウレベルと前記ウィンドウ幅とに基づいて前記医用画像の画素値を輝度値に変換することを特徴とする付記９記載の表示調整支援方法。
（付記１４）  前記パラメータとして、ボリュームレンダリング処理におけるオパシティカーブの不透明度の中央値を変更する中央値パラメータと、前記オパシティカーブの不透明度の幅値を変更する幅値パラメータとを含み、
前記複数の表示画像を生成するステップは、前記中央値パラメータと前記幅値パラメータとの少なくとも一方の値を変更しながら、前記医用画像の各画素に割り当てる不透明度を変更して、前記医用画像の疑似三次元画像を複数生成し、
前記表示装置に表示させるステップは、前記不透明度を変更しながら生成した疑似三次元画像を、所定間隔ごとに前記表示装置に表示させることを特徴とする付記８記載の表示調整支援方法。
（付記１５）  医用画像の画素が取りうる階調の値域よりも狭い値域の輝度で画素を表示可能な表示装置に、前記医用画像を表示画像として表示させる際に、前記医用画像の階調の値域の一部を前記表示装置の輝度の値域に割り当てるパラメータを変更することで、変更した前記パラメータに対応する複数の表示画像を生成する生成手段と、
生成した前記複数の表示画像を逐次的に前記表示装置に表示させる表示制御手段と、を有することを特徴とする表示調整支援装置。
（付記１６）  前記パラメータは、画像の明るさを変更するウィンドウレベルと、画像のコントラストを変更するウィンドウ幅とを含み、
前記生成手段は、前記ウィンドウレベル及び前記ウィンドウ幅で規定される前記医用画像の画素値を、輝度値に変換する処理を、前記ウィンドウレベルと前記ウィンドウ幅との少なくとも一方の値を変更しながら複数回行う手段であることを特徴とする付記１５記載の表示調整支援装置。
（付記１７）  前記生成手段は、前記医用画像の撮影部位を示す部位情報に基づいて前記ウィンドウレベルと前記ウィンドウ幅とを変更する変更範囲を設定し、設定した前記変更範囲内で前記ウィンドウレベルと前記ウィンドウ幅との少なくとも一方の値を変更しながら、前記ウィンドウレベル及び前記ウィンドウ幅で規定される前記医用画像の画素値を、輝度値に変換することを特徴とする付記１６記載の表示調整支援装置。
（付記１８）  前記生成手段は、前記ウィンドウレベルと前記ウィンドウ幅との一方のパラメータの値を一定の値に固定して、他方のパラメータの値を連続的に変化させ、前記一定の値の前記一方のパラメータと、変化させた各値の前記他方のパラメータとで規定される前記医用画像の画素値を、輝度値に変換する第１変換処理と、前記一定の値に固定した前記一方のパラメータの値を他の値に固定して、前記他方のパラメータの値を連続的に変化させ、前記他の値の前記一方のパラメータと、変化させた各値の前記他方のパラメータとで規定される前記医用画像の画素値を、輝度値に変換する第２変換処理とを実行し、
前記表示制御手段は、前記第１変換処理で輝度値に変換した前記医用画像を、変換した順に前記表示装置に表示させる処理と、前記第２変換処理で輝度値に変換した前記医用画像を、変換した順に前記表示装置に表示させる処理とを実行することを特徴とする付記１６又は１７記載の表示調整支援装置。
（付記１９）  前記医用画像には、撮影日の異なる複数の医用画像が含まれ、
前記生成手段は、前記医用画像の画素値を前記輝度値に変換する処理を、前記撮影日の異なる前記複数の医用画像のそれぞれについて行い、
前記表示制御手段は、前記複数の医用画像の画素値を輝度値に変換する際に、前記複数の医用画像で各パラメータに同一の値を設定して変換した医用画像を前記表示装置に連続して表示させた後に、前記同一の値を他の値に変更して変換した医用画像を前記表示装置に連続して表示させることを特徴とする付記１６記載の表示調整支援装置。
（付記２０）  前記生成手段は、前記医用画像に画像解析を行って、異常な陰影を示す前記医用画像の候補領域を検出し、前記検出した候補領域の画素値に基づいて、前記ウィンドウレベルと前記ウィンドウ幅との変更範囲を設定して、設定した前記変更範囲内で前記ウィンドウレベルと前記ウィンドウ幅との少なくとも一方を変更しながら、前記ウィンドウレベルと前記ウィンドウ幅とに基づいて前記医用画像の画素値を輝度値に変換することを特徴とする付記１６記載の表示調整支援装置。
（付記２１）  前記パラメータとして、ボリュームレンダリング処理におけるオパシティカーブの不透明度の中央値を変更する中央値パラメータと、前記オパシティカーブの不透明度の幅値を変更する幅値パラメータとを含み、
前記生成手段は、前記中央値パラメータと前記幅値パラメータとの少なくとも一方の値を変更しながら、前記医用画像の各画素に割り当てる不透明度を変更して、前記医用画像の疑似三次元画像を複数生成し、
前記表示制御手段は、前記不透明度を変更しながら生成した疑似三次元画像を、所定間隔ごとに前記表示装置に表示させることを特徴とする付記１５記載の表示調整支援装置。
【符号の説明】
【００７３】
１  表示調整支援装置
１０  制御部
１３  ＲＡＭ
３１  表示装置
７１  入力部
７２  範囲設定部
７３  画像変換部
７４  表示制御部
７５  異常陰影候補検出部
７６  断層画像生成部
７７  画像生成部
【図１】
2015019815.tif 000003
【図２】
2015019815.tif 000004
【図３】
2015019815.tif 000005
【図４】
2015019815.tif 000006
【図５】
2015019815.tif 000007
【図６】
2015019815.tif 000008
【図７】
2015019815.tif 000009
【図８】
2015019815.tif 000010
【図９】
2015019815.tif 000011
【図１０】
2015019815.tif 000012
【図１１】
2015019815.tif 000013
【図１２】
2015019815.tif 000014
【図１３】
2015019815.tif 000015
【図１４】
2015019815.tif 000016
【図１５】
2015019815.tif 000017
【図１６】
2015019815.tif 000018
【図１７】
2015019815.tif 000019